(57)【要約】      （修正有）【課題】コンパクトで、設置面積および使用面積を小さくした売上データ処理装置を提供する。【解決手段】売上データを入力する入力装置２と、入力された売上データを表示する表示部と、装置本体３内に配置され、装置本体３の外側に向けて回転開閉する第１の金銭収納部６と、装置本体３内に配置され、この装置本体３の外側に向けて回転開閉し、装置本体３の外部に露呈した際に、第１の金銭収納部６の上方に配置される第２の金銭収納部７と、を備える。従って、第１の金銭収納部６および第２の金銭収納部７を収納する金銭収納装置１の装置本体３をその奥行きが短く上下方向に長い縦長形状に形成することができ、これにより第１の金銭収納部６と第２の金銭収納部７とを上下方向に多段に重ねることができる。【選択図】図６
2018026160.tif 000002
【特許請求の範囲】
【請求項１】
売上データを入力する入力部と、
前記入力部で入力された前記売上データを表示する表示部と、
奥行き方向よりも高さ方向が長く形成された装置本体内に閉じ状態時には紙幣投入口側が上向きとなるように配置され、前記紙幣投入口側が前記装置本体の外側に向けて回転開放可能に構成された紙幣収納部と、
前記紙幣収納部に対して上段側の金銭収納部となるように配置された硬貨収納部と、
を備え、
前記紙幣収納部は、紙幣が並べて収納されるように間仕切るための仕切板が設けられており、
前記仕切板は、前記閉じ状態時においても前記硬貨収納部との干渉を避けられるように、当該仕切板の高さが前記紙幣投入口側で低くなるように形成されていることを特徴とする売上データ処理装置。
【請求項２】
前記紙幣収納部の回転開放動作に連動して前記硬貨収納部を回転開放させる連動機構部を備えることを特徴とする請求項１に記載の売上データ処理装置。
【請求項３】
前記入力部は、前記装置本体の上部に着脱可能に配置される入力装置、または、前記装置本体の上部に設けられたキーボード部であることを特徴とする請求項１または２に記載の売上データ処理装置。
【発明の詳細な説明】
【技術分野】
【０００１】
この発明は、電子レジスタなどの売上データ処理装置に関する。
【背景技術】
【０００２】
例えば、電子レジスタにおいては、特許文献１に記載されているように、装置本体内に紙幣や硬貨、商品券などの複数種類の金銭を収納する収納ケースをスライド可能に設けたドロア装置を備えた構成のものが知られている。
【先行技術文献】
【特許文献】
【０００３】
【特許文献１】特開平０８−８３３８０号公報
【発明の概要】
【発明が解決しようとする課題】
【０００４】
このような電子レジスタのドロア装置では、収納ケース内に複数種類の金銭を種類ごとに収納するために、複数の金銭収納部を平面的に仕分けして設けた構成であるから、収納ケース全体が平面的に大きくなり、これに伴って装置本体も平面的に大きくなる。このため、この電子レジスタでは、設置面積が大きくなるばかりか、使用時に収納ケースをスライドさせて引き出すため、使用時における平面的な使用面積も大きくなるという問題がある。
【０００５】
この発明が解決しようとする課題は、コンパクトで、設置面積および使用面積を小さくすることができるようにすることである。
【課題を解決するための手段】
【０００６】
この発明の売上データ処理装置は、売上データを入力する入力部と、前記入力部で入力された前記売上データを表示する表示部と、奥行き方向よりも高さ方向が長く形成された装置本体内に閉じ状態時には紙幣投入口側が上向きとなるように配置され、前記紙幣投入口側が前記装置本体の外側に向けて回転開放可能に構成された紙幣収納部と、前記紙幣収納部に対して上段側の金銭収納部となるように配置された硬貨収納部と、を備え、前記紙幣収納部は、紙幣が並べて収納されるように間仕切るための仕切板が設けられており、前記仕切板は、前記閉じ状態時においても前記硬貨収納部との干渉を避けられるように、当該仕切板の高さが前記紙幣投入口側で低くなるように形成されていることを特徴とする。
【発明の効果】
【０００７】
この発明によれば、装置本体をコンパクトに構成することができると共に、装置全体の設置面積および使用時おける使用面積を小さくすることができる。  
【図面の簡単な説明】
【０００８】
【図１】この発明を電子レジスタに適用した第１実施形態を示した斜視図である。
【図２】図１に示された電子レジスタの金銭収納装置を示した背面側の斜視図である。
【図３】図１に示された金銭収納装置のＡ−Ａ矢視における断面図である。
【図４】図３に示された金銭収納装置において、開閉蓋を開いて第１の金銭収納部と第２の金銭収納部とを装置本体の外部に露出させた状態を示した斜視図である。
【図５】図４に示された金銭収納装置において、装置本体、開閉蓋、第１の金銭収納部、および第２の金銭収納部を分解して示した斜視図である。
【図６】図４に示された金銭収納装置のＢ−Ｂ矢視において、装置本体の上部に入力装置を配置した状態を示した断面図である。
【図７】図１に示された金銭収納装置において、装置本体上の支持蓋を開いた状態を示した斜視図である。
【図８】図７に示された金銭収納装置を示した背面側の斜視図である。
【図９】図１に示された金銭収納装置において、装置本体の上部に取手部を取り出した状態を示した斜視図である。
【図１０】図９に示された金銭収納装置の取手部の取り出し手順を示し、（ａ）は開閉蓋を開いて取手部をスライドさせて引き出した状態を示した側面図、（ｂ）はその状態で取手部を装置本体上に起立させて、開閉蓋を閉じた状態を示した側面図である。
【図１１】図１に示された電子レジスタの回路構成を示したブロック図である。
【図１２】この発明を電子レジスタに適用した第２実施形態を示した斜視図である。
【図１３】図１２に示された電子レジスタを示した背面側の斜視図である。
【図１４】図１２に示された電子レジスタのＣ−Ｃ矢視における断面図である。
【図１５】図１４に示された電子レジスタにおいて、開閉蓋を開いて第１の金銭収納部と第２の金銭収納部とを装置本体の外部に露出させた状態を示した斜視図である。
【図１６】図１５に示された電子レジスタのＤ−Ｄ矢視における断面図である。
【発明を実施するための形態】
【０００９】
（第１実施形態）
以下、図１〜図１１を参照して、この発明を電子レジスタに適用した第１実施形態について説明する。
この電子レジスタは、図１に示すように、紙幣や硬貨、商品券などの金銭を収納する金銭収納装置１と、売上データなどの各種のデータを入力する入力装置２とを備えている。
【００１０】
金銭収納装置１は、図１および図２に示すように、装置本体３を備えている。この装置本体３は、奥行きが短く上下方向に長い縦長形状のほぼ箱状に形成されている。この装置本体３は、その上面が図１において前側から後側に向けて次第に高くなる傾斜面に形成されている。また、この装置本体３の前面には、図１〜図４に示すように、開閉蓋４が開閉可能に取り付けられている。
【００１１】
この開閉蓋４は、図１および図３に示すように、装置本体３の前面部を構成するものであり、図５および図６に示すように、装置本体３内の前側下部に位置する内面に設けられた支持穴３ａに回転可能に取り付けられた支持軸５によって、上下方向に回転可能に取り付けられるように構成されている。
【００１２】
すなわち、この開閉蓋４は、図５に示すように、平板状の蓋本体４ａと、この蓋本体４ａの両側部にそれぞれ起立して設けられた各取付板４ｂとを備えている。この場合、各取付板４ｂには、軸孔４ｃがそれぞれ設けられている。これにより、開閉蓋４は、図３および図６に示すように、各軸孔４ｃに各支持軸５が取り付けられ、この各支持軸５を中心に上下方に回転するように構成されている。
【００１３】
この開閉蓋４は、図３に示すように、支持軸５を中心に図３において時計回りに回転して起立した際に、装置本体３の前面を塞ぐように構成されている。また、この開閉蓋４は、図４および図６に示すように、支持軸５を中心に図６において反時計回りに回転した際に、装置本体３の前面から外部に突出して、前上がり（図６では左上り）に傾斜した状態で配置されるように構成されている。
【００１４】
また、この装置本体３内には、図３〜図６に示すように、第１の金銭収納部６と第２の金銭収納部７とがそれぞれ回転移動可能に設けられている。第１の金銭収納部６は、紙幣や商品券などの金券を種分けして収納するものであり、第２の金銭収納部７は、硬貨を収納するものである。
【００１５】
第１の金銭収納部６は、図３〜図６に示すように、開閉蓋４の内面側に配置された状態で支持軸５に回転可能に取り付けられている。これにより、第１の金銭収納部６は、支持軸５を中心に装置本体３の内部から外側に向けて円弧状の軌道（つまり円弧状の移動軌跡）を描いて回転開閉するように構成されている。
【００１６】
この場合、第１の金銭収納部６は、図３〜図６に示すように、開閉蓋４とほぼ同じ大きさの板状に形成され、その両側部に各側板部６ｅがそれぞれ起立して設けられ、この各側板部６ｅに軸取付部６ｆがそれぞれ設けられ、この各軸取付部６ｆに支持軸５がそれぞれ回転可能に取り付けられるように構成されている。また、この第１の金銭収納部６は、その支持軸５の軸方向（図４では左右方向）に沿って複数の仕切板６ａが設けられている。この仕切板６ａは、図４および図６に示すように、後部側の高さが前部側の高さよりも高く形成されている。
【００１７】
また、この第１の金銭収納部６の後部には、図３〜図６に示すように、底板部６ｂが設けられており、複数の仕切板６ａの上部には、カバー板６ｃが設けられている。さらに、この第１の金銭収納部６の内面、つまり第１の金銭収納部６の上面および底板部６ｂの内面には、図４および図５に示すように、仕切板６ａを任意の位置に着脱可能に取り付けるための多数の取付溝６ｄが設けられている。
【００１８】
また、この第１の金銭収納部６は、図３に示すように、開閉蓋４が支持軸５を中心に図３において時計回りに回転して装置本体３の前面を塞いだ際に、この開閉蓋４と共に支持軸５を中心に回転して起立し、この起立した状態で、装置本体３内に収納されるように構成されている。この場合、装置本体３内には、第１の金銭収納部６が装置本体３内に収納された際に、第１の金銭収納部６を着脱可能にロックするロック機構部（図示せず）が設けられている。
【００１９】
さらに、この第１の金銭収納部６は、図４〜図６に示すように、開閉蓋４が支持軸５を中心に図６において反時計回りに回転して装置本体３の前面から外部に突出した際に、この開閉蓋４と共に装置本体３の前面から外部に突出して前上がり（図６では左上り）に傾斜した状態で配置されるように構成されている。
【００２０】
この場合、第１の金銭収納部６は、図４〜図６に示すように、装置本体３の前面から外部に突出した状態で、その外部に位置する先端を持ち上げると、図６に２点鎖線で示すように、開閉蓋４との間に隙間が生じ、この隙間を第３の収納部として利用できるように構成されている。
【００２１】
一方、第２の金銭収納部７は、図３〜図６に示すように、第１の金銭収納部６よりも後部側に位置した状態で、装置本体１内に配置され、この状態で支持軸５に回転可能に取り付けられるように構成されている。すなわち、この第２の金銭収納部７は、硬貨を種類ごとに収納する硬貨収納部９と、この硬貨収納部９を保持する一対の保持アーム部１０と、を備え、これら一対の保持アーム部１０の各支持穴１０ａにそれぞれ取り付けられた各支持軸５によって、回転可能に取り付けられるように構成されている。
【００２２】
これにより、第２の金銭収納部７は、図３〜図６に示すように、支持軸５を中心に装置本体３の内部から外側に向けて円弧状の軌道（つまり円弧状の移動軌跡）を描いて回転開閉し、装置本体３の外部に露呈した際に、第１の金銭収納部６の上方に配置されるように構成されている。この場合、硬貨収納部９はほぼ丸樋形状に形成されており、その内部には複数の仕切板９ａが設けられている。この第２の金銭収納部７の内面にも、仕切板９ａを任意の位置に着脱可能に取り付けるための多数の取付溝９ｂが設けられている。
【００２３】
一対の保持アーム部１０は、図３、図５および図６に示すように、硬貨収納部９の両側下部に設けられ、その各下端部が支持軸５に回転可能に取り付けられている。また、硬貨収納部９の両側部には、ガイドピン１１がそれぞれ装置本体３内の両側面に向けて突出して設けられている。このガイドピン１１は、装置本体３の両側内面に設けられたガイド溝１２内に移動可能に挿入されている。このガイド溝１２は、支持軸５を中心とする円弧状に湾曲して形成されている。
【００２４】
また、この第２の金銭収納部７は、図３、図５および図６に示すように、連動機構部１３によって第１の金銭収納部６の回転開閉動作に連動して回転開閉するように構成されている。すなわち、この連動機構部１３は、一対の保持アーム部１０にそれぞれ設けられた連動ピン１４ａと、第１の金銭収納部６の両側に位置する各側板部６ｅにそれぞれ設けられた円弧状の各ガイド溝１４ｂと、開閉蓋４の両側に位置する各取付板４ｂにそれぞれ貫通して設けられた円弧状の各ガイド溝１４ｃと、を備えている。
【００２５】
この場合、開閉蓋４のガイド溝１４ｃは、図３、図５および図６に示すように、開閉蓋４の回転中心である支持軸５を中心する円弧に沿って形成された円弧状のスリット孔である。また、第１の金銭収納部６のガイド溝１４ｂは、第１の金銭収納部６の回転中心である共通の支持軸５を中心する円弧に沿って形成された円弧状の凹溝であり、開閉蓋４のガイド溝１４ｃに対応するように構成されている。
【００２６】
連動ピン１４ａは、図３に示すように、開閉蓋４のガイド溝１４ｃを通して第１の金銭収納部６のガイド溝１４ｂ内に移動可能な状態で挿入され、第１の金銭収納部６と第２の金銭収納部７とが装置本体３内に収納された状態のときに、第１の金銭収納部６のガイド溝１４ｂと開閉蓋４のガイド溝１４ｃとの各円弧に沿う方向におけるほぼ中間部に位置する状態で、保持アーム部１０に設けられている。
【００２７】
また、この連動ピン１４ａは、図６に示すように、開閉蓋４が開いて第１の金銭収納部６が装置本体３から外部に向けて回転移動する際に、第１の金銭収納部６のガイド溝１４ｂと開閉蓋４のガイド溝１４ｃとの各後端部に遅れたタイミングで当接して、第２の金銭収納部７を装置本体３内から外部に向けて回転移動させるように構成されている。
【００２８】
これにより、連動機構部１３は、図３および図６に示すように、開閉蓋４を開いて第１の金銭収納部６を装置本体３内から外部に向けて回転移動させる際に、第２の金銭収納部７の連動ピン１４ａが時間差をもって、第１の金銭収納部６のガイド溝１４ｂと開閉蓋４のガイド溝１４ｃとの各後端部に当接することにより、第１の金銭収納部６が第２の金銭収納部７を遅れたタイミングで装置本体３内から外部に向けて回転移動させるように構成されている。
【００２９】
また、この連動機構部１３は、図３および図６に示すように、開閉蓋４を閉じて第１の金銭収納部６を装置本体３内に向けて回転移動させる際に、第２の金銭収納部７の連動ピン１４ａが第１の金銭収納部６のガイド溝１４ｂと開閉蓋４のガイド溝１４ｃとの各後端部から各ガイド溝１４ｂ、１４ｃの各中間部に向けて離れた状態で、第１の金銭収納部６が第２の金銭収納部７を装置本体３内に向けて遅れたタイミングで押すことにより、第２の金銭収納部７を装置本体３内に収納するように構成されている。
【００３０】
このように、この連動機構部１３は、図３〜図６に示すように、第１の金銭収納部６の回転開閉動作に対してタイミングをずらして第２の金銭収納部７を回転開閉させることにより、第２の金銭収納部７の回転開閉移動距離を第１の金銭収納部６の回転開閉移動距離よりも短くするように構成されている。
【００３１】
ところで、この装置本体３内には、図３および図６に示すように、印刷装置１５が設けられている。この印刷装置１５は、ロール状に巻かれた記録紙１６ａを保持する記録紙保持部１７と、この記録紙保持部１７から引き出された記録紙１６ａに順次売上データなどの情報を印刷して装置本体３のレシート発行口１５ａから送り出す印刷部１８と、ジャーナル紙１６ｂを巻き取るジャーナル部１９と、を備えている。
【００３２】
この場合、装置本体３内には、図３および図６に示すように、第１の金銭収納部６および第２の金銭収納部７に対する印刷装置１５の領域を仕切る仕切壁２０が設けられている。この仕切壁２０は、装置本体３内に収納された第２の金銭収納部７のほぼ輪郭、および後述する取手部２７の握り部２７ｂを収納する握り収納部２８ｃの輪郭に沿って設けられている。これにより、仕切壁２０は、その上下方向における中間部が印刷装置１５側に食い込んだ形状に形成されている。
【００３３】
また、装置本体３の上部には、図１〜図８に示すように、入力装置２を支持するための支持蓋２１が上下方向に回転可能に設けられている。この支持蓋２１は、図３および図７に示すように、装置本体３の上面に設けられた蓋収納凹部２２内に開閉可能に配置されるように構成されている。また、この支持蓋２１は、その後部下面（図３では右側部の下面）に軸部２１ａが設けられ、この軸部２１ａが蓋収納凹部２２内の両側壁に回転可能に取り付けられている。
【００３４】
また、この支持蓋２１は、図６に示すように、軸部２１ａを中心に上方（時計回り方向）に向けて回転して開いた際に、軸部２１ａの上側に位置する支持蓋２１の背面が蓋収納凹部２２の後端部の上縁に当接することにより、後方に傾いた状態で起立するように構成されている。この場合、蓋収納凹部２２内には、支持板２３が設けられている。この支持板２３は、前部（図３では左側部）にほぼＶ字状の係止溝部２３ａが設けられ、後部に平坦な載置部２３ｂが設けられた構成になっている。
【００３５】
これにより、支持蓋２１は、図３に示すように、軸部２１ａを中心に反時計回りに回転した際に、支持板２３の載置部２３ｂに当接して保持され、この状態で蓋収納凹部２２を塞ぐように構成されている。また、この支持蓋２１は、図６に示すように、軸部２１ａを中心に時計回りに回転して、後方に傾いた状態で起立した際に、入力装置２を傾けた状態で支持するように構成されている。
【００３６】
この場合、入力装置２は、図１に示すように、携帯型のタブレット端末であり、四角形の平板状に形成されている。この入力装置２は、入力表示部２ａを有し、この入力表示部２ａの画面をタッチ操作することにより、売上データなどのレジスタ機能に必要な各種のデータを入力するように構成されている。また、この入力装置２は、データを送受信する通信機能を備えている。
【００３７】
さらに、この入力装置２は、図６および図７に示すように、装置本体３上に着脱自在に配置されるように構成されている。すなわち、この入力装置２は、支持蓋２１を後方に傾けて起立させた状態で、入力装置２の下端部を蓋収納凹部２２内の支持板２３の係止溝部２３ａに係止させて、入力装置２の背面を支持蓋２１に当接させることにより、装置本体３上に傾いた状態で配置されるように構成されている。
【００３８】
また、この装置本体３の背面における上部には、図２および図８に示すように、表示部２４が設けられている。この表示部２４は、売上金額などの情報をお客に見せるためのものであり、液晶表示パネルやＥＬ表示パネルなどの平面型の表示パネルからなり、電気光学的に情報を表示するように構成されている。
【００３９】
また、この装置本体３内には、図３および図６に示すように、回路基板２５が設けられている。この回路基板２５には、レジスタ機能に必要な各種の電子部品（図示せず）が搭載されているほか、通信部２６が設けられている。この通信部２６は、入力装置２などの外部機器との間でデータの送受信を行うように構成されている。
【００４０】
さらに、この装置本体３には、図９および図１０に示すように、金銭収納装置１を持ち運ぶための取手部２７が設けられている。この取手部２７は、装置本体３の上部両側に取り付けられた一対のアーム部２７ａと、これら一対のアーム部２７ａの各先端部を連結する握り部２７ｂと、を備えている。
【００４１】
一対のアーム部２７ａは、図９および図１０に示すように、その各先端部が下側に向けて折り曲げられた形状に形成されている。これら各アーム部２７ａの各後端部には、取付軸２７ｃがそれぞれ設けられている。また、一対のアーム部２７ａは、これら各取付軸２７ｃによって装置本体３の上部両側に取り付けられるように構成されている。
【００４２】
この場合、装置本体３の上部両側部には、図９および図１０に示すように、一対のアーム部２７ａをそれぞれ配置されるアーム収納凹部２８ａが上部および前部に開放されて設けられている。このアーム収納凹部２８ａ内には、アーム部２７ａの取付軸２７ｃがスライド可能に取り付けられる長孔２８ｂが前後方向に沿って設けられている。また、この装置本体３内の前側上部には、握り部２７ｂを収納する握り収納部２８ｃが、アーム収納凹部２８ａの下側に位置して装置本体３の前側に開放された状態で設けられている。
【００４３】
これにより、取手部２７は、図１および図２に示すように、一対のアーム部２７ａが装置本体３の各アーム収納凹部２８ａ内にそれぞれスライド可能に配置されると共に、握り部２７ｂが装置本体３の握り収納部２８ｃ内に配置されるように構成されている。この場合、握り収納部２８ｃは、開閉蓋４が閉じられた際に、開閉蓋４および第１の金銭収納部６によって塞がれて外部に露呈せずに隠されるように構成されている。
【００４４】
また、この取手部２７は、図９および図１０に示すように、開閉蓋４が開いた際に、装置本体３の握り収納部２８ｃ内に配置された握り部２７ｂが装置本体３の外部に露呈することにより、この露呈した握り部２７ｂを装置本体３内から外部に引き出させるように構成されている。
【００４５】
これにより、取手部２７は、図９および図１０に示すように、握り部２７ｂを装置本体３内から外部に引き出すと、アーム部２７ａの取付軸２７ｃがアーム収納凹部２８ａの長孔２８ｂ内を後部側から前側に向けて移動することにより、各アーム部２７ａがアーム収納凹部２８ａ内から前側に向けてそれぞれスライドして突出するように構成されている。
【００４６】
また、この取手部２７は、図９および図１０に示すように、握り部２７ｂを装置本体３内から外部に引き出した状態で、握り部２７ｂを上方に引き上げると、アーム部２７ａの取付軸２７ｃを中心にアーム部２７ａが上方に向けて回転し、握り部２７ｂが装置本体３の上方に配置され、この握り部２７ｂを手で握って金銭収納装置１を持ち運べるように構成されている。
【００４７】
次に、図１１に示されたブロック図を参照して、この電子レジスタの回路構成について説明する。
この電子レジスタは、ＣＰＵ３０、メモリ部３１、入力装置２、表示部２４、通信部２６、印刷装置１５、ロック解除部３２を備えている。
【００４８】
メモリ部３１は、ＲＯＭ（リードオンリーメモリ）、ＲＡＭ（ランダムアクセスメモリ）を備えている。ＣＰＵ３０は、メモリ部３１のＲＯＭに記憶されたプログラムに基づいて電子レジスタ全体の処理を行うものである。メモリ部３１のＲＯＭには、ＣＰＵ３０で行われる処理を制御するプログラムを記憶している。
【００４９】
入力装置２は、タブレット端末であり、売上データなどの情報を入力するものである。この入力装置２は、データを送受信する通信機能を備えている。表示部２４は、ＣＰＵ３０からの指令に基づいて売上データなどの情報を表示するものである。通信部２６は、ＣＰＵ３０からの指令に基づいて入力装置２などの外部機器との間でデータの送受信を行うものである。
【００５０】
印刷装置１５は、ＣＰＵ３０からの指令に基づいて売上データなどの情報を記録紙１６ａに印刷するものである。ロック解除部３２は、開閉蓋４を閉じた際に開閉蓋４を装置本体３に対してロックするロック機構部（図示せず）によるロックを、ＣＰＵ３０からの指令に基づいて解除するものである。
【００５１】
次に、このような電子レジスタの作用について説明する。
まず、入力装置２で売上データを入力する場合には、タブレット端末である入力装置２の入力表示部２ａをタッチ操作して売上データを入力する。このときには、入力装置２は、金銭収納装置１の装置本体３上に立て掛けた状態で入力操作しても良く、また入力装置２を手に持った状態で入力操作しても良い。
【００５２】
このように入力された売上データを金銭収納装置１の装置本体３に送信する場合には、入力装置２の入力表示部２ａをタッチ操作してデータを通信機能によって送信する。この送信されたデータは装置本体３の通信部２６で受信され、この受信されたデータはＣＰＵ３０によってメモリ部３１に登録されると共に、表示部２４に表示され、この表示されたデータをお客が見て確認することができる。
【００５３】
表示部２４に表示されたデータをお客が見て確認した際には、金銭収納装置１の装置本体３の開閉蓋４を開いて清算処理をする。このときには、入力装置２の入力表示部２ａをタッチ操作して清算開始を入力する。すると、この清算開始の指示データが通信機能によって送信され、装置本体３の通信部２６で受信される。これにより、ＣＰＵ３０がロック解除部３２にロック解除を指示する。
【００５４】
これにより、ロック機構部（図示せず）による開閉蓋４のロックが解除されて、開閉蓋４が開く。このときには、開閉蓋４がその自重によって支持軸５を中心に図３において反時計回りに自動的に回転する。すると、この開閉蓋４と共に第１の金銭収納部６が支持軸５を中心に同方向に回転して装置本体３内から外部に向けて円弧状の軌道を描いて引き出されると共に、連動機構部１３によって第２の金銭収納部７も支持軸５を中心に同方向に回転して装置本体３内から外部に向けて円弧状の軌道を描いて引き出される。
【００５５】
このときに、第１の金銭収納部６が開閉蓋４と共に所定角度回転すると、第２の金銭収納部７の保持アーム部１０に設けられた連動機構部１３の連動ピン１４ａが、第１の金銭収納部６に設けられたガイド溝１４ｂと、開閉蓋４に設けられたガイド溝１４ｃとの各後端部に、遅れたタイミングで当接する。
【００５６】
この状態で、第１の金銭収納部６が開閉蓋４と共に支持軸５を中心に更に円弧状の軌道を描いて回転移動すると、連動機構部１３の連動ピン１４ａが第１の金銭収納部６のガイド溝１４ｂと開閉蓋４のガイド溝１４ｃとの各後端部によって押される。このため、第２の金銭収納部７が支持軸５を中心に回転を開始すると共に、第２の金銭収納部７のガイドピン１１が装置本体３の内面のガイド溝１２に沿って移動を開始する。
【００５７】
そして、第１の金銭収納部６が円弧状の軌道を描いて装置本体３内から外部に引き出されると、これに伴って第２の金銭収納部７も円弧状の軌道を描いて装置本体３内から外部に引き出される。この状態では、図４および図６に示すように、開閉蓋４および第１の金銭収納部６が装置本体３の内部から外部に向けて前上がりに傾斜した状態で突出する。また、第２の金銭収納部７は、第１の金銭収納部６の上方に位置した状態で、装置本体３の内部から外部に突出する。
【００５８】
この状態で、現金の受け渡しを行う際には、紙幣を第１の金銭収納部６から出し入れし、硬貨を第２の金銭収納部７から出し入れする。また、商品券や小切手などの高額な金券は、第１の金銭収納部６と開閉蓋４との間に収納する。すなわち、第１の金銭収納部６の先端を持ち上げると、図６に２点鎖線で示すように、第１の金銭収納部６が支持軸５を中心に回転して、開閉蓋４との間に隙間ができるので、この隙間に商品券や小切手などの高額な金券を収納することができる。
【００５９】
このようにして、現金を受け渡した後は、表示されたデータを印刷処理する。このときには、入力装置２の入力表示部２ａをタッチ操作して印刷開始を入力する。すると、この印刷開始の指示データが通信機能によって送信され、装置本体３の通信部２６で受信される。これにより、ＣＰＵ３０が印刷装置１５に印刷開始を指示する。
【００６０】
すると、印刷装置１５の印刷部１８が記録紙保持部１７にロール状に巻かれた記録紙１６ａを順次引き出し、この引き出された記録紙１６ａに売上データを順次印刷する。この印刷された記録紙１６ａは、装置本体３のレシート発行口１５ａからレシートとして発行される。また、このときには、売上データが印刷されたジャーナル紙１６ｂがジャーナル部１９に巻き取られる。
【００６１】
このようして、清算処理が終了した後は、開閉蓋４を閉じる。このときには、開閉蓋４を押し上げると、開閉蓋４が支持軸５を中心に図６において時計回りに回転し、これに伴って第１の金銭収納部６も支持軸５を中心に同方向に回転する。そして、第１の金銭収納部６が第２の金銭収納部７に遅れたタイミングで当接すると、第１の金銭収納部６と共に第２の金銭収納部７が支持軸５を中心に同方向に回転する。
【００６２】
これにより、第１の金銭収納部６および第２の金銭収納部７が装置本体３内に収納され、開閉蓋４が閉じてロック機構部（図示せず）によってロックされる。このときには、取手部２７の各アーム部２７ａが装置本体３の各アーム収納凹部２８ａ内にそれぞれ配置されると共に、握り部２７ｂが装置本体３の握り収納部２８ｃ内に配置されている。このため、開閉蓋４が閉じられると、この開閉蓋４および第１の金銭収納部６によって握り収納部２８ｃが塞がれて握り部２７ｂが外部に露呈せずに隠される。
【００６３】
また、金銭収納装置１を取手部２７によって携帯する際には、まず、開閉蓋４のロックを解除して開閉蓋４を開く。このときには、入力装置２の入力表示部２ａをタッチ操作して、ロック解除の指示データを装置本体３の通信部２６に送信し、この送信されたロック解除の指示データによって、ＣＰＵ３０がロック解除部３２にロック解除を指示する。これにより、ロック機構部（図示せず）による開閉蓋４のロックが解除されて、開閉蓋４が開く。
【００６４】
すると、装置本体３の握り収納部２８ｃ内に配置された取手部２７の握り部２７ｂが装置本体３の外部に露呈して、装置本体３内から外部に引き出させる状態になる。この状態で、取手部２７の握り部２７ｂを装置本体３内から外部に引き出すと、アーム部２７ａの取付軸２７ｃがアーム収納凹部２８ａの長孔２８ｂ内を前側に向けて移動するので、各アーム部２７ａがアーム収納凹部２８ａ内から前側に向けてそれぞれスライドして突出する。
【００６５】
そして、取手部２７の握り部２７ｂを装置本体３内から外部に引き出された状態で、握り部２７ｂを上方に引き上げると、アーム部２７ａの取付軸２７ｃを中心にアーム部２７ａが上方に向けて回転し、握り部２７ｂが装置本体３の上方に配置される。この状態で、開閉蓋４を閉じてロック機能部でロックする。そして、取手部２７の握り部２７ｂを手で握って装置本体３を持ち運ぶことができる。
【００６６】
このように、この電子レジスタによれば、金銭収納装置１の装置本体３に着脱可能に配置されて売上データを入力する入力装置２と、装置本体３に配置されて入力装置２で入力された売上データを表示する表示部２４と、装置本体３内に配置され、この装置本体３の外側に向けて円弧状の軌道を描いて回転開閉する第１の金銭収納部６と、装置本体３内に配置され、装置本体１の外側に向けて円弧状の軌道を描いて回転開閉し、装置本体３の外部に露呈した際に、第１の金銭収納部６の上方に配置される第２の金銭収納部７と、を備えていることにより、装置本体３がコンパクトで、装置全体の設置面積および使用面積を小さくすることができる。
【００６７】
すなわち、この電子レジスタでは、第１の金銭収納部６および第２の金銭収納部７を金銭収納装置１の装置本体３内の外側に向けて円弧状の軌道を描いて回転開閉させることができるので、装置本体３をその奥行きが短く上下方向に長い縦長形状に形成することができ、これにより第１の金銭収納部６と第２の金銭収納部７とを上下方向に多段に重ねることができる。このため、装置本体３をコンパクトに構成することができると共に、装置全体の設置面積および使用時おける使用面積を小さくすることができる。
【００６８】
また、この電子レジスタでは、入力装置２が金銭収納装置１の装置本体３の上部に着脱可能に配置されるタブレット端末であることにより、売上データを入力する際に、入力装置２を金銭収納装置１の装置本体３上に配置した状態で入力操作することができるほか、入力装置２を手に持った状態で入力操作することができる。このため、入力操作が何処でも簡単にかつ手軽にできるので、使い勝手が良い。
【００６９】
この場合、装置本体３の上面には、蓋収納凹部２２が設けられ、この蓋収納凹部２２には、入力装置２を立て掛けるための支持蓋２１が開閉可能に設けられているので、入力装置２を装置本体３上に配置する際に、支持蓋２１を回転させて後方に傾けて開くことにより、この支持蓋２１によって入力装置２を傾けた状態で立て掛けることができ、また入力装置２を手に持って入力操作する際には、蓋収納凹部２２を支持蓋２１で塞ぐことができるので、外観的にもデザイン的にも好ましいものを提供することができる。
【００７０】
また、この電子レジスタでは、第１の金銭収納部６が紙幣や商品券などの金券を収納し、第２の金銭収納部７が硬貨を収納することにより、紙幣や商品券などの金券および硬貨を、効率良く収納することができると共に良好に出し入れすることができる。すなわち、第２の金銭収納部７は第１の金銭収納部６の上方に配置されているので、第２の金銭収納部７に硬貨を出し入れし易く、また第１の金銭収納部６が第２の金銭収納部７よりも装置本体３の外部に突出しているので、第１の金銭収納部６に紙幣や商品券などの金券を出し入れし易い。
【００７１】
また、この電子レジスタでは、第１の金銭収納部６が金銭収納装置１の装置本体３の前面を開閉する開閉蓋４を備えていることにより、第１の金銭収納部６および第２の金銭収納部７を装置本体３内に収納した際に、装置本体３の前面を開閉蓋４によって塞ぐことができ、これにより金銭などを安全に保管することができる。この場合、第１の金銭収納部６は、開閉蓋４と共に回転開閉するので、開閉蓋４の開閉操作に応じて第１の金銭収納部６を良好に回転開閉することができる。
【００７２】
また、この電子レジスタでは、第１の金銭収納部６の回転開閉動作に連動して第２の金銭収納部７を回転開閉させる連動機構部１３を備えているので、第１の金銭収納部６を回転開閉させる際に、連動機構部１３によって第２の金銭収納部７を自動的に回転開閉することができる。
【００７３】
この場合、連動機構部１３は、第２の金銭収納部７の保持アーム部１０に設けられた連動ピン１４ａと、第１の金銭収納部６および開閉蓋４にそれぞれ設けられた円弧状の各ガイド溝１４ｂ、１４ｃとを備え、第１の金銭収納部６と第２の金銭収納部７とが装置本体３内に収納された状態のときに、連動ピン１４ａが各ガイド溝１４ｂ、１４ｃのほぼ中間部に位置する構成であるから、第１の金銭収納部６の回転開閉動作に対してタイミングをずらして第２の金銭収納部７を回転開閉させることができ、これにより第２の金銭収納部７の回転開閉移動距離を第１の金銭収納部６の回転開閉移動距離よりも短くすることができる。
【００７４】
このため、第１の金銭収納部６および第２の金銭収納部７を装置本体３内から外部に突出させた際には、第１の金銭収納部６が装置本体３内から外部に大きく突出しても、第２の金銭収納部７が装置本体３の外部に突出する突出量を小さくできるので、第２の金銭収納部７を第１の金銭収納部６の後部側の上方に良好に重ねて配置することができる。また、第１の金銭収納部６および第２の金銭収納部７を装置本体３内に収納した際には、第２の金銭収納部７を第１の金銭収納部６に接近させてコンパクトに収納することができる。
【００７５】
さらに、この電子レジスタでは、金銭収納装置１の装置本体３を携帯するためにユーザが把持する取手部２７を備えていることにより、この取手部２７によって装置本体３を良好にかつ手軽に持ち運ぶことができるので、金銭収納装置１の設置位置を自由に変えることができ、これにより売上処理をする場所が限定されることないので、使い勝手の良いものを提供することができる。
【００７６】
この場合、取手部２７は、装置本体３に設けられ、第１の金銭収納部６および第２の金銭収納部７が回転開放された際に、装置本体３から使用可能な状態に引き出される構成であることにより、第３者が勝手に取手部２７を引き出して装置本体３を持ち運ぶことができないため、盗難に対する安全性を確保することができる。
【００７７】
また、この電子レジスタでは、入力装置２と金銭収納装置１との間で売上データを送受信する通信部２６を備えていることにより、入力装置２と装置本体３とを接続ケーブルで電気的に接続する必要がないので、入力装置２を金銭収納装置１の装置本体３上に配置した状態で入力操作しても、入力装置２を手に持った状態で入力操作しても、入力装置２で入力された売上データや他の外部機器のデータを確実にかつ良好に装置本体３に取り込むことができる。
【００７８】
さらに、この電子レジスタでは、売上データを印刷する印刷装置１５を備えていることにより、入力装置２で入力された売上データを記録紙１６ａに印刷してレシートとして発行することができる。すなわち、この印刷装置１５は、ロール状の記録紙１６ａを保持する記録紙保持部１７と、この記録紙保持部１７から引き出された記録紙１６ａに情報を印刷する印刷部１８と、を備えているので、記録紙保持部１７から引き出された記録紙１６ａに売上データを印刷部１８によって順次印刷して、装置本体３のレシート発行口１５ａからレシートとして良好に発行することができる。
【００７９】
（第２実施形態）
次に、図１２〜図１６を参照して、この発明を電子レジスタに適用した第２実施形態について説明する。なお、図１〜図１１に示された第１実施形態と同一部分には同一符号を付して説明する。
この電子レジスタは、図１２および図１３に示すように、金銭収納装置１の装置本体３の上部にキーボード部４０を設けた構成であり、これ以外は第１実施形態とほぼ同じ構成になっている。
【００８０】
この場合、装置本体３は、第１実施形態と同様、その上面が前側から後側に向けて次第に高くなる傾斜面に形成されている。この装置本体３の上面には、図１２〜図１６に示すように、キーボード部４０を収納するキーボード収納部４１と、売上データなどの情報を表示する表示部４２と、開閉蓋４を施錠するための施錠部４３とが設けられている。
【００８１】
キーボード部４０は、図１２〜図１６に示すように、テンキー、売上キー、印刷キー、清算キーなどの電子レジスタに必要な各種のキーを備え、図１２に示すように、装置本体３の上面におけるほぼ右半分の領域に設けられている。このキーボード部４０は、装置本体３内に設けられた回路基板２５と電気的に接続されている。
【００８２】
表示部４２は、第１実施形態と同様、液晶表示パネルやＥＬ表示パネルなどの平面型の表示パネルからなり、電気光学的に情報を表示するように構成されている。この表示部４２は、図１３に示すように、装置本体３の後側上部におけるほぼ右半分の領域において、装置本体３の上面から背面に亘って設けられている。
【００８３】
これにより、この表示部４２は、図１３に示すように、装置本体３の上面に位置する個所と、装置本体３の背面に位置する個所と、に売上金額などの情報を表示することにより、この表示された情報が使用者とお客との両方から見せるように構成されている。施錠部４３は、図１２および図１５に示すように、装置本体３の上面における表示部４２の手前側に位置する個所に設けられている。
【００８４】
この施錠部４３は、使用者が鍵を刺し込んで回すことにより、開閉蓋４の施錠またはその施錠解除を行うように構成されている。すなわち、この施錠部４３は、開閉蓋４を施錠した場合に、キーボード部４０のキー操作による入力処理ができず、キー操作によって開閉蓋４が開放されないように構成されている。また、この施錠部４３は、開閉蓋４の施錠を解除した場合に、キーボード部４０のキー操作を可能にし、このキー操作によって開閉蓋４が開閉するように構成されている。
【００８５】
次に、このような電子レジスタの作用について説明する。
この電子レジスタのキーボード部４０で売上データを入力する場合には、まず、施錠部４３による施錠を解除する。このときには、使用者が施錠部４３に鍵を刺し込んで回して、キーボード部４０のキー操作を可能にする。この状態で、キーボード部４０をキー操作して売り上げデータを入力する。
【００８６】
このように入力された売り上げデータは、表示部４２に表示される。このときには、装置本体３の上面に位置する表示部４２の個所と、装置本体３の背面に位置する表示部４２の個所と、に売上金額などのデータが表示される。これにより、表示部４２に表示されたデータを使用者とお客との両方が見て確認することができる。
【００８７】
そして、表示部４２に表示されたデータをお客が見て確認した際には、装置本体３の開閉蓋４を開いて清算処理をする。このときには、キーボード部４０の清算キーを操作してロック機構部（図示せず）による開閉蓋４のロックを解除する。すると、第１実施形態と同様、開閉蓋４が開くと共に、第１の金銭収納部６が円弧状の軌道を描いて装置本体３内から外部に引き出される。これに伴って、第２の金銭収納部７も円弧状の軌道を描いて装置本体３内から外部に引き出される。
【００８８】
この状態では、図１５および図１６に示すように、開閉蓋４および第１の金銭収納部６が装置本体３の内部から外部に向けて前上がりに傾斜した状態で突出する。また、第２の金銭収納部７は、第１金銭収納部６の上方に位置した状態で、装置本体３の内部から外部に突出する。これにより、第１実施形態と同様、紙幣を第１の金銭収納部６から出し入れし、硬貨を第２の金銭収納部７から出し入れすることにより、現金の受け渡しを行うことができる。
【００８９】
また、この電子レジスタによる売上げ処理を終了する場合には、まず、開閉蓋４を閉じて第１の金銭収納部６および第２の金銭収納部７を装置本体３内に収納する。この状態で、施錠部４３によって開閉蓋４を施錠する。このときには、使用者が施錠部４３に鍵を刺し込んで回して、キーボード部４０のキー操作による入力処理ができないように施錠する。これにより、キーボード部４０のキー操作による開閉蓋４の開閉がロックされる。
【００９０】
このように、この電子レジスタによれば、第１実施形態と同様の作用効果があるほか、金銭収納装置１の装置本体３の上面にキーボード部４０が設けられているので、一般的な電子レジスタと同様、キーボード部４０のキー操作によって売上げデータを処理することができ、これによりコンパクトで、使い勝手の良いものを提供することができる。
【００９１】
また、この電子レジスタでは、第１実施形態と同様、取手部２７によって金銭収納装置１の装置本体３を手軽に持ち運ぶことができるので、金銭収納装置１の設置位置を自由に変えることができ、これにより売上処理をする場所が限定されることないので、これによっても使い勝手の良いものを提供することができる。
【００９２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９３】
（付記）
請求項１に記載の発明は、売上データを入力する入力部と、前記入力部で入力された前記売上データを表示する表示部と、装置本体内に配置され、前記装置本体の外側に向けて回転開閉する金銭収納部と、を備える売上データ処理装置である。
【００９４】
請求項２に記載の発明は、前記金銭収納部は、前記装置本体内に配置され、前記装置本体の外側に向けて回転開閉する第１の金銭収納部と、前記装置本体内に配置され、前記装置本体の外側に向けて回転開閉し、前記装置本体の外部に露呈した際に、前記第１の金銭収納部の上方に配置される第２の金銭収納部と、を備える請求項１に記載の売上データ処理装置である。
【００９５】
請求項３に記載の発明は、前記入力部は、前記装置本体の上部に着脱可能に配置される入力装置である請求項１または２に記載の売上データ処理装置である。
【００９６】
請求項４に記載の発明は、前記入力部は、前記装置本体の上部に設けられたキーボード部である請求項１または２に記載の売上データ処理装置である。
【００９７】
請求項５に記載の発明は、前記第１の金銭収納部は複数種の紙幣を収納し、前記第２の金銭収納部は複数種の硬貨を収納する請求項２〜４のいずれかに記載の売上データ処理装置である。
【００９８】
請求項６に記載の発明は、前記第１の金銭収納部は、前記装置本体の前面を開閉可能に塞ぐ開閉蓋を備える請求項２〜５のいずれかに記載の売上データ処理装置である。
【００９９】
請求項７に記載の発明は、前記第１の金銭収納部の回転開閉動作に連動して前記第２の金銭収納部を回転開閉させる連動機構部を備える請求項２〜６のいずれかに記載の売上データ処理装置である。
【０１００】
請求項８に記載の発明は、前記装置本体を携帯するためにユーザが把持する取手部を備える請求項１〜７のいずれかに記載の売上データ処理装置である。
【０１０１】
請求項９に記載の発明は、前記取手部は、前記装置本体に設けられ、前記第１の金銭収納部および前記第２の金銭収納部が回転開放された際に、前記装置本体から使用可能な状態に引き出される請求項８に記載の売上データ処理装置である。
【０１０２】
請求項１０に記載の発明は、前記入力部と前記装置本体との間で前記売上データを送受信する通信部を備える請求項１〜９のいずれかに記載の売上データ処理装置である。
【０１０３】
請求項１１に記載の発明は、前記入力部で入力された前記売上データを印刷する印刷部を備える請求項１〜１０のいずれかに記載の売上データ処理装置である。
【０１０４】
請求項１２に記載の発明は、前記金銭収納部は、前記装置本体内の前側に配置され、前記印刷部は、前記装置本体内の後側に配置される請求項１１に記載の売上データ処理装置である。
【符号の説明】
【０１０５】
１  金銭収納装置
２  入力装置
３  装置本体
４  開閉蓋
５  支持軸
６  第１の金銭収納部
７  第２の金銭収納部
１３  連動機構部
１４ａ  連動ピン
１４ｂ、１４ｃ  ガイド溝
１５  印刷装置
２４、４２  表示部
２６  通信部
４０  キーボード部
【図１】
2018026160.tif 000003
【図２】
2018026160.tif 000004
【図３】
2018026160.tif 000005
【図４】
2018026160.tif 000006
【図５】
2018026160.tif 000007
【図６】
2018026160.tif 000008
【図７】
2018026160.tif 000009
【図８】
2018026160.tif 000010
【図９】
2018026160.tif 000011
【図１０】
2018026160.tif 000012
【図１１】
2018026160.tif 000013
【図１２】
2018026160.tif 000014
【図１３】
2018026160.tif 000015
【図１４】
2018026160.tif 000016
【図１５】
2018026160.tif 000017
【図１６】
2018026160.tif 000018
【手続補正書】
【提出日】平成29年10月23日(2017.10.23)
【手続補正２】
【補正対象書類名】明細書
【補正対象項目名】０００１
【補正方法】変更
【補正の内容】
【０００１】
この発明は、ドロア装置に関する。
【手続補正３】
【補正対象書類名】明細書
【補正対象項目名】０００６
【補正方法】変更
【補正の内容】
【０００６】
この発明のドロア装置は、回転開放可能に設けられた紙幣収納部と、前記紙幣収納部と連動して回転開放可能に設けられ、少なくとも開放状態時には前記紙幣収納部に対して上段側となるように設けられた硬貨収納部と、を備え、前記紙幣収納部は、紙幣が並べて収納されるように間仕切るための仕切板が設けられており、前記仕切板は、閉じ状態時においても前記硬貨収納部との干渉を避けられるように、当該仕切板の高さが紙幣投入口側で低くなるように形成されていることを特徴とする。
【手続補正４】
【補正対象書類名】特許請求の範囲
【補正対象項目名】全文
【補正方法】変更
【補正の内容】
【特許請求の範囲】
【請求項１】
回転開放可能に設けられた紙幣収納部と、
前記紙幣収納部と連動して回転開放可能に設けられ、少なくとも開放状態時には前記紙幣収納部に対して上段側となるように設けられた硬貨収納部と、
を備え、
前記紙幣収納部は、紙幣が並べて収納されるように間仕切るための仕切板が設けられており、
前記仕切板は、閉じ状態時においても前記硬貨収納部との干渉を避けられるように、当該仕切板の高さが紙幣投入口側で低くなるように形成されていることを特徴とするドロア装置。
【請求項２】
前記紙幣収納部と前記硬貨収納部は、互いに共通の支持軸を中心にして回転開放するように構成されていることを特徴とする請求項１に記載のドロア装置。
【請求項３】
前記紙幣収納部の底側裏面の少なくとも一部を覆う開閉蓋を備え、
前記紙幣収納部と前記開閉蓋との間の隙間が更なる収納部となるように構成されていることを特徴とする請求項１または２に記載のドロア装置。